(57)【要約】      （修正有）【課題】比較的安価で容易に組み立てられるとともに、消費者の感性に訴え、消費者の関心を惹くことができるポップ構造体を提供する。【解決手段】開放端２１を略鉛直上向きにした状態で設置される筒部２と、筒部の内側と外側とに亘って配置され、筒部の外側から押圧可能なバルーン３と、上面に展示物７を設置するとともに、筒部内でのバルーンの膨張及び収縮に伴って筒部内を上昇及び下降するスライダ５と、を具備し、バルーンが筒部の外側から押圧されると、展示物の筒部の開放端からの露出度合が大きくなる。【選択図】図１
0003231190.tif 000002
【実用新案登録請求の範囲】
【請求項１】
開放端を略鉛直上向きにした状態で設置される筒部と、
前記筒部の内側と外側とに亘って配置され、前記筒部の外側から押圧可能なバルーンと、
上面に展示物を設置するとともに、前記筒部内での前記バルーンの膨張及び収縮に伴って前記筒部内を上昇及び下降するスライダと、
を具備し、
前記バルーンが前記筒部の外側から押圧されると、前記展示物の前記筒部の前記開放端からの露出度合が大きくなること、
を特徴とするポップ構造体。
【請求項２】
前記開放端が、前記筒部の設置面に対して傾斜していること、
を特徴とする請求項１に記載のポップ構造体。
【請求項３】
前記スライダが上昇すると前記筒部の上方に展開し、前記スライダが下降すると前記筒部内に畳まれる背景を更に具備すること、
を特徴とする請求項１又は２に記載のポップ構造体。
【考案の詳細な説明】
【技術分野】
【０００１】
本考案は、商品や商品サンプル等の展示物を展示するためのポップ構造体に関する。
【背景技術】
【０００２】
店舗やショーウィンドウなどにおいて、商品等の展示物を看者に向けて展示する際に使用される支持体が知られている。例えば特許文献１には、扁平な紙材を折り込み、簡単に組立てて展示物を支持し、展示可能な展示物の支持体が開示されている。
【先行技術文献】
【特許文献】
【０００３】
【特許文献１】実用新案登録第３１６０５８０号公報
【考案の概要】
【考案が解決しようとする課題】
【０００４】
特許文献１の支持体は、比較的安価で、かつ容易に組み立てられるという利点を持つものの、展示物は支持体に載置されるだけで、載置された展示物に何らかの動きをもたらすものではない。したがって、消費者の感性に訴え、消費者の関心を惹くという点では十分とは言い難い。
【０００５】
そこで、本考案は、比較的安価で容易に組み立てられるとともに、消費者の感性に訴え、消費者の関心を惹くことができるポップ構造体の提供を目的とする。
【課題を解決するための手段】
【０００６】
上述した課題を解決すべく、本考案は、
開放端を略鉛直上向きにした状態で設置される筒部と、
前記筒部の内側と外側とに亘って配置され、前記筒部の外側から押圧可能なバルーンと、
上面に展示物を設置するとともに、前記筒部内での前記バルーンの膨張及び収縮に伴って前記筒部内を上昇及び下降するスライダと、
を具備し、
前記バルーンが前記筒部の外側から押圧されると、前記展示物の前記筒部の前記開放端からの露出度合が大きくなること、
を特徴とするポップ構造体
を提供する。
【０００７】
本考案のポップ構造体では、前記開放端が、前記筒部の設置面に対して傾斜していること、が好ましい。
【０００８】
また、本考案のポップ構造体では、前記スライダが上昇すると前記筒部の上方に展開し、前記スライダが下降すると前記筒部内に畳まれる背景を更に具備すること、が好ましい。
【考案の効果】
【０００９】
上記本考案のポップ構造体を用いることにより、比較的安価で容易に組み立てられるとともに、バルーンの押圧に伴う展示物の露出度合の変化という動きをもって視覚的・感覚的に消費者の感性に訴えることができる。したがって、消費者の関心を惹くことができる。
【図面の簡単な説明】
【００１０】
【図１】本実施形態に係るポップ構造体１の斜視図であって、バルーン３の押圧状態と押圧解除状態とを示す。
【図２】ポップ構造体１の側面図であって、バルーン３の押圧状態と押圧解除状態とを示す。
【考案を実施するための形態】
【００１１】
以下、本考案の代表的な実施形態に係るポップ構造体について、図面を参照しつつ詳細に説明する。ただし、本考案は、本実施形態に限定されるものではない。また、図面は、本考案を概念的に説明するためのものであるから、理解容易のために、必要に応じて寸法、比又は数を誇張又は簡略化して表している場合もある。
【００１２】
図１（Ａ），（Ｂ）に示すように、ポップ構造体１は、商品や商品サンプル等の展示物を展示するために用いられるものであり、略筒状の筒部２、バルーン３及びスライダ５を具備する。本実施形態では、ポップ構造体１は、主として紙で作製されているが、一部又は全部が、例えば樹脂や金属等の他の材料で作製されてもよい。
【００１３】
図２（Ａ）に示すように、筒部２は、開放端２１を略鉛直上向きにし、基端２２を設置面（床面又はテーブルの天面）側に向けた状態で設置される。つまり、筒部２は立設される（ただし、必ずしも垂直でなくてもよく傾斜していてもよい。）。本実施形態では、筒部２は紙で作製されているが、樹脂シート等の他の材料で作製されてもよい。
【００１４】
開放端２１は、後ろ側（看者から見て展示物７の背景となる側）から正面側（看者側）に向かって下がるように傾斜して開口している。また、基端２２には、筒部２内にバルーン３を受け入れるための切欠き２３（開口）が設けられている。
【００１５】
筒部２は、操作部４の上に設置されている。操作部４は、筒部２を支持する底板４１と、底板４１との間でバルーン３を挟み込む上板４２と、を含む。すなわち、操作部４は、バルーン３を押圧するために用いられる紙部材である。ただし操作部４は樹脂シート等の他の材料で作製されてもよい。
【００１６】
バルーン３は、筒部２の内側と外側とに亘って配置される樹脂部材であり、エアチューブ又はエアクッションと言ってもよい。本実施形態では、バルーン３は、筒部２の切欠き２３を介して筒部２の内側と外側に亘るように配置され、かつ、操作部４に挟持されている。
【００１７】
したがって、バルーン３（外側部分３１）は、操作部４（上板４２）を介して押圧可能である。図２（Ａ）及び（Ｂ）に示すように、外側部分３１が押圧されると、外側部分３１内の空気が内側部分３２に流入して、内側部分３２が膨張する。外側部分３１の押圧が解除されると、内側部分３２内の空気が外側部分３１に流出して、内側部分３２は収縮する。
【００１８】
筒部２の内側にはスライダ５が設けられている。スライダ５は、概ね箱状を呈する摺動体であり、上面に展示物を設置する。スライダ５は、筒部２の内側においてバルーン３の上方に位置しており、筒部２内でのバルーン３の膨張及び収縮に伴って筒部２内を摺動して上昇及び下降する。
【００１９】
したがって、バルーン３（外側部分３１）が押圧されると、スライダ５が上昇し、スライダ５上の展示物７が筒部２の開放端２１から露出する度合が大きくなる。即ち、展示物７が筒部２からより顕著に出てくることになるが、このとき展示物７の全体が出るのが好ましいが、展示物７が目視できるように略全体が出ればよい。また、バルーン３（外側部分３１）の押圧が解除されると、展示物７はスライダ５とともに下降し、展示物７が筒部２の開放端２１から露出する度合が小さくなる。この際、完全に筒部２内に収納（遮蔽）されても一部が出ていてもよい。）。このような展示物７の露出及び遮蔽の程度は、筒部２の長さやバルーン３の膨張具合を変更することにより、調整すればよい。
【００２０】
ホップ構造体１は、背景６を更に具備してもよい。背景６は、スライダ５が上昇すると筒部２の上方に展開し、スライダ５が下降すると筒部２内に畳まれて、展示物７を強調ないし目立たせる役割を果たす。背景６は、展開及び折畳みの繰り返しを可能とするために、所定の復元力を有する樹脂材料で作製されることが好ましい。
【００２１】
したがって、本実施形態に係るポップ構造体１では、人Ｈが操作部４（上板４２）を押圧すると、バルーン３の一部（外側部分３１）が操作部４に挟まれて圧縮され、バルーン３の残りの部分（内側部分３２）が膨張する。つまり、操作部４の押圧に伴うバルーン３内の空気の移動に応じて、スライダ５が上方（開放端２１側）に持ち上げられる（図２参照）。
【００２２】
これにより、スライダ５上の展示物７が、例えば図１（Ａ）のように筒部２内にほぼ隠れた状態から、例えば図１（Ｂ）のように開放端２１から外部に大きく露出した状態になる。このような動きは人目を惹き、視覚的・感覚的に消費者の感性に訴えることができる。また、消費者が近づいて実際に触れる事ができ、商品に興味を持って貰いやすい。
【００２３】
しかも、筒部２の開放端２１が前方に傾斜することで、展示物７の上昇及び下降が人Ｈ側から見やすくなる。また、背景６が展開及び折畳みをすることで、展示物７に注目を更に集めやすくなる。
【００２４】
ポップ構造体１は主として紙製であるので、軽く、持ち運びや組立・設置が容易である。また、ポップ構造体１は、ばね等の金属部材を使用していないシンプルな構造であるため、製造コストを抑制することもできる。
【００２５】
以上、本考案の代表的な実施形態について説明したが、本考案はこれらに限定されるものではなく、種々の設計変更が可能である。
【符号の説明】
【００２６】
１  ポップ構造体
２  筒部
３  バルーン
４  操作部
５  スライダ
７  展示物
【図１】
0003231190.tif 000003
【図２】
0003231190.tif 000004